(57)【要約】【課題】  電磁誘導作用を用いた指示計器において構成を簡素化し、かつコストを抑えることが可能な指示計器を提供する。【解決手段】  表示部材１０の背後側に配置される駆動装置２０と、指示部３２を有し駆動装置２０の回動軸２１に装着される指示部材３０と、指示部３２を発光させ指示部材３０に配設される光源４０と、駆動装置２０側に設けられる１次コイル５０と、１次コイル５０と電磁誘導が可能で指示部材３０側に設けられる２次コイル６０と、を備えた指示計器１において、１次コイル５０に電力を供給する駆動信号８１１を出力する駆動手段８１と、光源４０の調光用の制御信号８２１を出力する制御手段８２と、駆動信号８１１と調光用の制御信号８２１を重畳した信号８３１を１次コイル５０に出力する輝度調整手段８３とを備えたものである。【選択図】  図２
2013011572.tif 000002
【特許請求の範囲】
【請求項１】
表示部材の背後側に配置される駆動装置と、指示部を有し前記駆動装置の回動軸に装着される指示部材と、前記指示部を発光させ前記指示部材に配設される光源と、前記駆動装置側に設けられる１次コイルと、前記１次コイルと電磁誘導が可能で前記指示部材側に設けられる２次コイルと、を備えた指示計器において、前記１次コイルに電力を供給する駆動信号を出力する駆動手段と、前記光源の調光用の制御信号を出力する制御手段と、前記駆動信号と前記調光用の制御信号を重畳した信号を前記１次コイルに出力する輝度調整手段とを備えたことを特徴とする指示計器。
【請求項２】
前記制御手段は、前記駆動装置の前記回動軸を駆動することを特徴とする請求項１に記載の指示計器。
【発明の詳細な説明】
【技術分野】
【０００１】
本発明は、指針を備えた指示計器に関するものである。
【背景技術】
【０００２】
従来の指示計器は、例えば、特許文献１に開示されるものがある。この指示計器は、文字板の背後側に配置される駆動装置であるステッピングモータと、このステッピングモータの回動軸に装着され、基部と指示部とを有する指針本体と、前記指示部を発光させる光源と、ステッピングモータ側に設けられる１次コイルと、この１次コイルから電磁誘導によって電力が供給されるとともに前記指針本体に設けられた２次コイルとを備えたものである。
【０００３】
前記光源を発光させる場合には、矩形波もしくは交流波を駆動信号として発する駆動回路を設け、この駆動信号の波高値もしくは周波数を可変する専用の制御回路を用いて、前記１次コイルを駆動し、前記光源を調光制御するものであった。
【先行技術文献】
【特許文献】
【０００４】
【特許文献１】特開２０１１−６４６６８号公報
【発明の概要】
【発明が解決しようとする課題】
【０００５】
しかしながら、専用の制御回路を必要とすることから構成が複雑化し、コストが嵩むといった問題点があった。
【０００６】
そこで本発明は、前述の問題点に着目し、電磁誘導作用を用いて指針に電力を供給する指示計器において、構成を簡素化し、かつコストを抑えることが可能な指示計器を提供することを目的とするものである。
【課題を解決するための手段】
【０００７】
本発明における指示計器は、表示部材の背後側に配置される駆動装置と、指示部を有し前記駆動装置の回動軸に装着される指示部材と、前記指示部を発光させ前記指示部材に配設される光源と、前記駆動装置側に設けられる１次コイルと、前記１次コイルと電磁誘導が可能で前記指示部材側に設けられる２次コイルと、を備えた指示計器において、前記１次コイルに電力を供給する駆動信号を出力する駆動手段と、前記光源の調光用の制御信号を出力する制御手段と、前記駆動信号と前記調光用の制御信号を重畳した信号を前記１次コイルに出力する輝度調整手段とを備えたものである。
【０００８】
また、前記制御手段は、前記駆動装置の前記回動軸を駆動するものである。
【発明の効果】
【０００９】
以上のように本発明によれば、電磁誘導作用を用いて指針に電力を供給する指示計器において、構成を簡素化し、かつコストを抑えることが可能な指示計器を提供することができる。
【図面の簡単な説明】
【００１０】
【図１】本発明の第１実施形態の指示計器の一部断面図。
【図２】同実施形態の指示計器の構成を示すブロック図。
【図３】同実施形態の各信号の出力を示す波形図。
【発明を実施するための形態】
【００１１】
以下、添付図面に基づいて、本発明の第１実施形態を説明する。
【００１２】
本実施形態の指示計器１は、表示部材である文字板１０の背後側に配置される駆動装置であるステッピングモータ２０と、ステッピングモータ２０の回動軸２１に装着され、回動軸２１の周囲に位置する基部３１と指示部３２とを有する指示部材３０と、指示部３２を発光させるべく指示部材３０に配設される光源４０と、ステッピングモータ２０側に設けられる１次コイル５０と、１次コイル５０と電磁誘導が可能で、指示部材３０側に設けられる２次コイル６０と、指示部材３０に設けられ２次コイル６０と光源４０を電気的に接続する配線部材である指示部材３０側回路基板７０と、電磁誘導作用によって２次コイル６０に電力を発生させる為に１次コイル５０に電力を供給する駆動信号を出力する駆動手段８１と、光源４０の調光用の制御信号を出力する制御手段８２と、前記駆動信号と前記調光用の制御信号を重畳した信号を１次コイル５０に出力する輝度調整手段８３と、を備えている。
【００１３】
文字板１０は、合成樹脂からなり、図示しない文字などからなる指標部を備えている。
【００１４】
ステッピングモータ２０は、指示部材３０を回動させるムーブメントである。回動軸２１は、ステッピングモータ２０に回動可能に備えられ、回動するものである。回動軸２１の先端には、指示部材３０が圧入保持される。なお、回動とは、回動軸２１を中心軸として、正逆両方向に円運動することである。
【００１５】
指示部材３０は、基部３１と指示部３２からなり、回動軸２１の動作によって、文字板１０の前記指標部を指示するものである。
【００１６】
基部３１は、合成樹脂からなり、回動軸２１に圧入保持されるものである。また、基部３１は、２次コイル６０、配線部材７０、指示部３２などを保持するものである。
【００１７】
指示部３２は、透過性樹脂からなり、文字板１０の前記指標部を指示するものである。指示部３２は、光源４０から発せられる光を受けて発光するものである。
【００１８】
光源４０は、配線部材７０に備え付けられ、例えば、発光ダイオードからなり、指示部３２に光を供給するものである。
【００１９】
１次コイル５０は、コイル台座５２に保持され、ステッピングモータ側に設けた回路基板８０と電気的に接続されている。１次コイル５０は、輝度調整手段８３からの信号によって、所定の磁界を発生し、２次コイル６０と電磁誘導作用によって、電力を供給するものである。
【００２０】
１次ヨーク５１は、コイル台座５２に保持され、高い透磁率を持つ軟磁性材料、例えば鉄、フェライト、パーマロイなどからなり、１次コイル５０から発せられる磁界を２次コイル６０に効率良く伝えるものである。または、２次コイル６０とは反対側への磁界漏れを防ぐ磁気シールドの役割をもつものである。
【００２１】
コイル台座５２は、回路基板８０に保持され、１次コイル５０と１次ヨーク５１を保持するものである。
【００２２】
２次コイル６０は、配線部材７０に保持され、１次コイル５０で発せられる磁界を電磁誘導作用によって電気エネルギーに変換するものである。
【００２３】
２次ヨーク６１は、配線部材７０に保持され、１次ヨーク５１と同様に高い透磁率を持つ軟磁性材料、例えば、鉄、フェライト、パーマロイなどからなり、１次コイル５０から発せられる磁界を、２次コイル６０に効率良く伝えるものである。または、１次コイル５０とは反対側への磁界漏れを防ぐ磁気シールドの役割をもつものである。
【００２４】
配線部材７０は、図示しない導体を備え、２次コイル６０、光源４０、共振回路素子７１、整流回路素子７２を電気的接続しており、２次コイル６０の電磁誘導作用によって得られた電気エネルギーを光源４０に供給するものである。
【００２５】
共振回路素子７１は、主にコンデンサからなり、２次コイル６０と電気的に共振現象を起こすものである。
【００２６】
整流回路素子７２は、主にダイオードからなり、２次コイル６０で得られる交流の電気エネルギーを直流に変換するものである。方式によっては複数個のダイオードを要することもある。
【００２７】
回路基板８０は、ステッピングモータ２０や１次コイル５０などに電力を供給するものであり、駆動手段８１、制御手段８２及び輝度調整手段８３を有するものである。
【００２８】
駆動手段８１は、主に発振回路であり、図示しないバッテリなどの電源から得た電力を１次コイル５０へ供給する駆動信号８１１を生成し出力するものであり、駆動信号８１１は、１次コイル５０の交番磁界の発生を促すものである。
【００２９】
駆動信号８１１は、１次コイル５０の交番磁界発生に対する入力信号で、図３で示すように、特定の周波数の矩形波信号である。本実施形態では、矩形波信号の周波数は、２５０ｋＨｚである。なお、図３の横軸は時間であり、縦軸は電圧の出力を示すものであり、後述する制御信号８２１、重畳した信号８３１を表すグラフも同様である。また、図３は、本発明の理解を容易にするために、一部を強調してある。なお、駆動信号８１１は、正弦波であってもよい。
【００３０】
制御手段８２は、例えば、ＣＰＵなどからなり、光源４０の調光用の制御信号８２１を出力するものである。制御信号８２１は、ＰＷＭ信号であり、その周波数は、２５０Ｈｚである。
【００３１】
なお、制御手段８２は、ステッピングモータ２０の回動軸２１を駆動する回動軸駆動信号を出力するものでもある。
【００３２】
輝度調整手段８３は、駆動信号８１１および制御信号８２１を重畳（ミキシング）した信号８３１を１次コイル５０へ出力するものである。図３で示すように、例えば、輝度を４０％に抑える場合は、輝度調整手段８３は、制御信号８２１により、駆動信号８１１を間引き、見かけ上、１次コイル５０への入力信号を低減することによって光源４０の調光制御を行うものである。
【００３３】
カバー９０は、合成樹脂からなり光源４０、２次コイル６０などを覆うものである。
【００３４】
以上のように構成したことによって、電磁誘導作用を用いて指示部材３０の光源４０に電力を供給する指示計器１において、構成を簡素化し、かつコストを抑えることが可能な指示計器１を提供することができる。
【符号の説明】
【００３５】
１  指示計器
１０  文字板（表示部材） 
２０  ステッピングモータ（駆動装置）
２１  回動軸
３０  指示部材
３２  指示部
４０  光源
５０  １次コイル
６０  ２次コイル
８０  回路基板
８１  駆動手段
８２  制御手段
８３  輝度調整手段
８１１  駆動信号
８２１  制御信号
【図１】
2013011572.tif 000003
【図２】
2013011572.tif 000004
【図３】
2013011572.tif 000005